(57)【要約】【課題】表裏両面から観察可能な表示装置において、裏面側から観察させたくない情報を隠す。【解決手段】表示装置１は、表示部１ｂと遮蔽部１ｃとを備える。表示部１ｂは、透明な画素が格子状に配列された画素面を有する。表示部１ｂに表示された画像はその表裏両面から観察可能である。遮蔽部１ｃは、表示部１ｂの裏面に重ねて配置され、マスクパターンを表示することにより表示部１ｂの画像を部分的に隠すことができる。【選択図】図２
2012194243.tif 000002
【特許請求の範囲】
【請求項１】
透明な複数の画素が格子状に配列された画素面を有し、前記画素面の表裏両面から前記画素面を観察可能な表示部材と、
前記表示部材の裏面に重ねて配置され、光を透過する透過状態と光を遮蔽する遮蔽状態とを取り得る遮蔽部材と、
前記表示部材の前記画素面上に画像を表示する表示制御手段と、
前記遮蔽部材の所定領域を遮蔽状態とし、前記画素面上の所定の表示領域を、前記表示部材の裏面側から観察不可にする遮蔽制御手段と、
を備えることを特徴とする表示装置。
【請求項２】
請求項１に記載の表示装置において、
前記遮蔽状態となり得る前記遮蔽部材の領域は、前記画素面全体よりも広く、前記画素面全体を前記表示部材の裏面側から観察不可にすることができることを特徴とする表示装置。
【請求項３】
請求項１または２に記載の表示装置において、
前記遮蔽制御手段は、前記表示部材の裏面側から観察不可にする前記画素面上の所定の表示領域よりも広い前記遮蔽部材の領域を前記遮蔽状態とすることを特徴とする表示装置。
【請求項４】
請求項１から３のいずれか一項に記載の表示装置において、
前記表示制御手段と前記遮蔽制御手段とは、同一部材によって実行されることを特徴とする表示装置。
【請求項５】
請求項１から４のいずれか一項に記載の表示装置において、
操作部材を前記表示装置の表面側に備え、
前記表示部材の表面側は、前記表示装置の表面側に向いていることを特徴とする表示装置。
【請求項６】
請求項５に記載の表示装置において、
前記操作部材を介して所定の操作が行われたとき、前記遮蔽部材の全域を前記遮蔽状態とすることを特徴とする表示装置。
【請求項７】
請求項１から６のいずれか一項に記載の表示装置において、
前記遮蔽部材は、前記所定領域に所定の遮蔽用画像を表示することにより前記遮蔽状態となり、
前記遮蔽部材の解像度の値は前記表示部材の解像度の値以下であることを特徴とする表示装置。
【請求項８】
請求項１から７に記載の表示装置において、
前記表示部材における前記透明な複数の画素は自己発光型の画素であって、前記画素面の表裏両面に向かって光を射出することを特徴とする表示装置。
【請求項９】
請求項１から７に記載の表示装置において、
前記表示部材における前記透明な複数の画素は半透過型液晶であることを特徴とする表示装置。
【発明の詳細な説明】
【技術分野】
【０００１】
本発明は、表示装置に関する。
【背景技術】
【０００２】
特許文献１には、電気的にオン・オフ可能な液晶製の遮蔽装置を液晶ディスプレイの表示画面に設け、所定の視線方向から表示画面を見えにくくすることが開示されている。
【先行技術文献】
【特許文献】
【０００３】
【特許文献１】特開２００５−１０７３０６号公報
【発明の概要】
【発明が解決しようとする課題】
【０００４】
近年、表裏両面から表示画像を観察可能な表示装置が、携帯電話や展示会用ディスプレイなどに利用されている。表示装置に表示される情報の中には、個人情報など他者に漏洩したくない情報が含まれる。しかし、従来の表示装置では、裏面側から観察させたくない情報を隠すことができなかった。
【課題を解決するための手段】
【０００５】
本発明による表示装置は、透明な複数の画素が格子状に配列された画素面を有し、画素面の表裏両面から画素面を観察可能な表示部材と、表示部材の裏面に重ねて配置され、光を透過する透過状態と光を遮蔽する遮蔽状態とを取り得る遮蔽部材と、表示部材の画素面上に画像を表示する表示制御手段と、遮蔽部材の所定領域を遮蔽状態とし、画素面上の所定の表示領域を、表示部材の裏面側から観察不可にする遮蔽制御手段と、を備えることを特徴とする。
【発明の効果】
【０００６】
表裏両面から観察可能な表示装置において、裏面側から観察させたくない情報を隠すことができる。
【図面の簡単な説明】
【０００７】
【図１】本発明の一実施形態である表示装置を備える携帯機器の表面図の一例である。
【図２】本発明の一実施形態である表示装置を備える携帯機器の断面図の一例である。
【図３】本発明の一実施形態である表示装置を備える携帯機器のブロック構成図の一例である。
【図４】表示装置の表示部に表示される画面の一例である。
【図５】表示装置の遮蔽部に表示されるマスクパターンの一例である。
【図６】表示装置を表示部側から観察した状態を例示する図である。
【図７】表示装置を遮蔽部側から観察した状態を例示する図である。
【図８】遮蔽部にマスクパターンを表示するために実行される処理に関するフローチャートの一例である。
【発明を実施するための形態】
【０００８】
図１は、本発明の一実施形態である表示装置を備える携帯機器の表面図の一例である。
図１に示す携帯機器１００は、カメラ付携帯電話やデジタルカメラであって、表示装置１と、操作部材２と、撮像部３とを備える。
【０００９】
表示装置１は透過型の表示画面を備える。表示装置１は、表示画面上に画像（文字や記号を含む）を表示することができる。ユーザは、表示装置１の表示画面に表示された文字や画像だけでなく、携帯機器１００の裏面側の景色を観察することができる。
【００１０】
操作部材２はスイッチボタン、キーボード、タッチパネルなどを含む。ユーザは、操作部材２を操作して携帯機器１００へ所定の入力を行うことができる。携帯機器１００は、操作部材２が操作されると、表示装置１に所定の文字や画像を表示したり、撮像部３により静止画像や動画像を撮像したりすることができる。
【００１１】
図２は、携帯機器１００の断面図の一例である。図２には、携帯機器１００に備えられている保護パネル１ａと、表示部１ｂと、遮蔽部１ｃと、保護パネル１ｄと、操作部材２と、撮像部３と、メイン基板４と、バッテリ５と、記録媒体６とが示されている。
【００１２】
保護パネル１ａと、表示部１ｂと、遮蔽部１ｃと、保護パネル１ｄとは、図１の表示装置１を構成する。保護パネル１ａは、携帯機器１００の表面側に設けられ、外部から課せられる荷重や衝撃から表示部１ｂなどを保護している。保護パネル１ｄは、携帯機器１００の裏面側に設けられており、外部から課せられる荷重や衝撃から遮蔽部１ｃなどを保護している。保護パネル１ａおよび１ｄは、硬質ガラスやアクリルパネルなど光を透過する材料で構成される。
【００１３】
表示部１ｂは、複数の有機発光ダイオード（ＯＬＥＤ）が透明画素として格子状に配置されたものであって、各画素が自己発光することにより所定の画像の表示を行う。表示部１ｂは、携帯機器１００の表面側と裏面側との両方向に光を発する。また、表示部１ｂにおいて自己発光していない有機発光ダイオードは透明であるため、表示画面を観察時に正面の景色も透過して確認できる。画素が格子状に配置されることによってできる平面のことを画素面と称する。
【００１４】
遮蔽部１ｃは、表示部１ｂよりも携帯機器１００の裏面側に表示部１ｂに重ねて配置される。遮蔽部１ｃは、ドットマトリクス液晶により構成され、そのドットマトリクス液晶面上の所定領域にマスクパターンを表示することができる。遮蔽部１ｃのマスクパターンを表示していない領域は表示部１ｂが透けて見える透過状態にある。一方、遮蔽部１ｃのマスクパターンを表示している領域は表示部１ｂが透けて見えない遮蔽状態にある。遮蔽部１ｃにおいてマスクパターンを表示できる領域は、表示部１ｂの画素面全体より広い。遮蔽部１ｃの解像度の値は、表示部１ｂの解像度の値以下である。
【００１５】
表示部１ｂの画素面にある画素は携帯機器１００の表面側と裏面側との両方向に向けて発光するため、表示部１ｂに表示された画像は遮蔽部１ｃのマスクパターンにより遮蔽される場合を除いて、携帯機器１００の表面側と裏面側との両方向から観察することができる。たとえば、表示装置１を撮像部３用のファインダとして用いる場合に被撮影者からも撮像画像を確認することができる。特に撮影者が撮影者自身を撮影するときは有用である。
【００１６】
メイン基板４は、表示部１ｂや、遮蔽部１ｃ、操作部材２、撮像部３、バッテリ５などと電気的に接続されている。携帯機器１００の操作部材２は、メイン基板４に接続されている。操作部材２がユーザにより操作されると、その入力信号がメイン基板４へ送信される。また、携帯機器１００は、バッテリ５を有し、バッテリ５から所定の電力が供給される。
【００１７】
記録媒体６は、フラッシュメモリなどの不揮発性の記録媒体である。記録媒体６には、表示部１ｂに表示される静止画像や動画像の画像データなどが記憶されている。また、撮像部３において撮像された静止画像や動画像の画像データも、記録媒体６に記憶される。
【００１８】
図３は、携帯機器１００のブロック構成図の一例である。図３のブロック構成図には、表示部１ｂと、遮蔽部１ｃと、操作部材２と、撮像部３と、メイン基板４と、バッテリ５と、記録媒体６とが示されている。図３では、メイン基板４には、ＣＰＵ４０と、ＲＯＭ４１と、ＲＡＭ４２と、表示制御部４３と、ＶＲＡＭ４４とが含まれることが示されている。
【００１９】
ＣＰＵ４０は、操作部材２からの入力信号に基づいて、ＲＯＭ４１等に記憶されたプログラムを読み出し、ＲＡＭ４２を作業領域としてそのプログラムを実行する。そして、ＣＰＵ４０は、そのプログラムに基づいて、撮像部３や、記録媒体６、表示制御部４３などを制御する。
【００２０】
表示制御部４３は、ＶＲＡＭ４４を介して表示部１ｂへ画像を表示し、遮蔽部１ｃへマスクパターンを表示する。これらの処理は、ＣＰＵ４０からのアプリケーション画面の描画命令に基づいて実行される。ＣＰＵ４０からの描画命令は、表示部１ｂに文字や画像等を表示するための表示制御信号と、遮蔽部１ｃにマスクパターンを表示するための遮蔽制御信号とからなる。
【００２１】
表示制御信号は、ＣＰＵ４０が生成する信号であって、アプリケーション画面を表示部１ｂに表示するためのテキストデータや、画像データなどの各種データを含む。遮蔽制御信号は、ＣＰＵ４０が生成する信号であって、アプリケーション画面に表示する情報のうち、表示装置１の裏面側から観察不可とすべき情報を指定する。たとえば、ユーザがパスワード等の情報を入力する入力フォームや、ソフトウェアキーボードなどを表示装置１の裏面側から観察不可とすべき情報として指定する。
【００２２】
ＶＲＡＭ４４は、表示部１ｂ用のメモリ領域である描画プレーンと、遮蔽部１ｃ用のメモリ領域である遮蔽プレーンとを有する。表示制御部４３は、ＣＰＵ４０が生成した表示制御信号に基づいて、表示部１ｂに表示すべきアプリケーション画面の画像をＶＲＡＭ４４の描画プレーンに描画する。また、表示制御部４３は、遮蔽制御信号に基づいて、遮蔽部１ｃに表示すべきマスクパターンをＶＲＡＭ４４の遮蔽プレーンに描画する。描画プレーンに描画された画像は、表示部１ｂに表示される。また、遮蔽プレーンに描画されたマスクパターンは、遮蔽部１ｃに表示される。
【００２３】
表示制御部４３が描画するマスクパターンは、たとえば長方形であって、裏面側から観察不可とすべき情報に関する画像の表示に用いられる画素の総面積より広い範囲を覆い隠す。マスクパターンは、表示部１ｂに描画された画像に重なる位置に描画される。
【００２４】
表示制御部４３の処理により、表示装置１に表示される画像について図４から図７を用いて説明する。
【００２５】
図４は、表示部１ｂに表示されるアプリケーション画面の一例を示す図である。図４の例では、表示部１ｂにパスワード入力画面１１０が表示される。図４のパスワード入力画面１１０には、パスワードを入力するための入力フォーム１１１と、ソフトウェアキーボード１１２とが含まれる。
【００２６】
ＣＰＵ４０は、パスワード入力画面１１０を表示するための表示制御信号と、入力フォーム１１１とソフトウェアキーボード１１２とを表示装置１の裏面側から観察不可とするための遮蔽制御信号とを生成する。表示制御信号には、たとえば入力フォーム１１１を表示するためのタグを含むＨＴＭＬを含む。遮蔽制御信号では、入力フォーム１１１と、ソフトウェアキーボード１１２とが指定される。
【００２７】
表示制御部４３は、表示制御信号に基づいて、入力フォーム１１１やソフトウェアキーボード１１２などの画像を描画プレーンに描画する。たとえば、ＨＴＭＬに含まれるタグに基づいて、入力フォーム１１１を描画する場所や大きさを決定し、入力フォーム１１１に関する画像を描画プレーンに描画する。描画プレーンに描画された入力フォーム１１１やソフトウェアキーボード１１２などの画像は、パスワード入力画面１１０として図４のように表示部１ｂに表示される。
【００２８】
図５は、遮蔽部１ｃに表示される画面の一例を示す図である。図５の遮蔽画面１２０は、図４のパスワード入力画面１１０に関する表示制御信号と共に生成した遮蔽制御信号に基づいて表示されたものである。ＣＰＵ４０は、パスワード入力画面１１０に関する遮蔽制御信号において、入力フォーム１１１と、ソフトウェアキーボード１１２とを、表示装置１の裏面側から観察不可とすべき画像に指定している。表示制御部４３は、入力フォーム１１１を覆い隠すようなマスクパターン１２１と、ソフトウェアキーボード１１２を覆い隠すようなマスクパターン１２２を遮蔽プレーンに描画する。遮蔽プレーンに描画されたマスクパターン１２１とマスクパターン１２２とは、図５の遮蔽画面１２０のように遮蔽部１ｃに表示される。図５の遮蔽部１ｃでは、マスクパターン１２１とマスクパターン１２２とが表示されている領域が遮蔽状態となり、それ以外の領域は透過状態となっている。
【００２９】
図６および図７は、表示部１ｂにパスワード入力画面１１０を表示し、遮蔽部１ｃに遮蔽画面１２０を表示したときの携帯機器１００を示している。図６は、携帯機器１００を
表示装置１の表面側から観察した状態を示している。図７は、携帯機器１００を表示装置１の裏面側から観察した状態を示している。図６では、入力フォーム１１１およびソフトウェアキーボード１１２を観察することができる。また、入力フォーム１１１の後ろにはマスクパターン１２１を観察することができる。さらに、ソフトウェアキーボード１１２の後ろにはマスクパターン１２２を観察することができる。しかし、図７では、入力フォーム１１１およびソフトウェアキーボード１１２は、マスクパターン１２１およびマスクパターン１２２により隠され、観察することができない。
【００３０】
なお、図５、図６、および図７では、マスクパターン１２１およびマスクパターン１２２を図示する際ハッチングを用いているが、実際に遮蔽部１ｃに表示されるマスクパターンは所定の色による塗りつぶしであることが望ましい。
【００３１】
図８は、表示装置１の遮蔽部１ｃにマスクパターンによる遮蔽画面を描画するために表示制御部４３が実行する処理を示すフローチャートである。ステップＳ１００では、表示制御部４３は、ＣＰＵ４０から遮蔽制御信号を受信する。ステップＳ１１０では、表示制御部４３は、ステップＳ１００で受信した遮蔽制御信号に基づいて、マスクパターンを表示する遮蔽部１ｃ上の領域を決定する。ステップＳ１２０では、表示制御部４３は、ステップＳ１１０で遮蔽部１ｃ上の領域を決定されたマスクパターンをＶＲＡＭ４４の遮蔽プレーンに描画する。遮蔽部１ｃには、遮蔽プレーンに描画されたマスクパターンが表示される。
【００３２】
ステップＳ１３０では、表示制御部４３は、次の遮蔽画面を表示するための遮蔽制御信号を受信したか否かを判定する。表示制御部４３は、次の遮蔽画面を表示するための遮蔽制御信号を受信するまでステップＳ１３０で待機し、次の遮蔽画面を表示するための遮蔽制御信号を受信したら処理をステップＳ１４０に進める。ステップＳ１４０では、表示制御部４３は、表示部１ｂに次画面が表示されたか否かを判定する。たとえば、表示制御部４３が次画面の画像をＶＲＡＭ４４の描画プレーンに描画し終えたか否かを判定する。表示制御部４３は、表示部１ｂに次画面が表示されるまでステップＳ１４０で待機し、次画面が表示部１ｂに表示されたと判定されたら処理をステップＳ１５０に進める。ステップＳ１５０では、遮蔽部１ｃに表示されていたマスクパターンを消去し、処理をステップＳ１１０に戻す。そして、次画面用のマスクパターンを表示する領域を決定する。
【００３３】
以上説明した各実施の形態によれば、次の作用効果を奏する。
表示装置１は、自己発光型の透明な画素が格子状に配列された画素面を有する表示部１ｂを備える。表示部１ｂの画素は、その表裏両面に向かって発光しており、その光は表示装置１の表裏両面から観察可能である。また、表示装置１は遮蔽部１ｃを備える。遮蔽部１ｃは、表示部１ｂの裏面に重ねて配置され、マスクパターンを表示することにより光を遮蔽する遮蔽状態と、マスクパターンを表示しないことにより光を透過する透過状態とを取り得る。表示部１ｂへの画像の表示処理は、表示制御部４３がＶＲＡＭ４４の描画プレーンを介して実行する。遮蔽部１ｃへのマスクパターンの表示処理は、表示制御部４３がＶＲＡＭ４４の遮蔽プレーンを介して実行する。これにより、表裏両面から表示画像を観察可能な表示装置１において、裏面側から観察させたくない情報を隠すことができる。
【００３４】
遮蔽部１ｃにおいてマスクパターンを表示することができる領域は、表示部１ｂの画素面全体より広い。表示部１ｂは画素面に対して垂直の方向から観察されるとは限らない。マスクパターンを表示できる領域を画素面全体より広くすることによって、画素面を斜め方向からも観察できないようにすることができる。
【００３５】
マスクパターンが描画される遮蔽部１ｃの領域は、表示装置１の裏面側から観察不可とすべき画像が表示される表示部１ｂの領域を覆い隠すように重なり、マスクパターンの表示領域は、観察不可にすべき表示部１ｂの画素の総面積よりも広い。これにより、観察不可にすべき表示部１ｂの画素を斜め方向からも観察できないようにすることができる。
【００３６】
描画プレーンへの画像の描画と、遮蔽プレーンへのマスクパターンの描画とは、共に表示制御部４３が実行する。同一の部材が実行することにより、表示装置１を含む機器における部材数の低減に貢献する。
【００３７】
遮蔽部１ｃの解像度の値は、表示部１ｂの解像度の値以下である。これにより、マスクパターンを高速に描画でき、表示部１ｂに表示される画面の切替えに対するレスポンスがよくなる。
【００３８】
以上の各実施の形態は、以下のように変形して実施できる。
上記の実施形態では、表示部１ｂは、自己発光型のＯＬＥＤとしたが、それに限定しない。たとえば、自己発光しない半透過型の液晶表示部材を利用してもよい。この際に、裏面からの光がバックライトとして使用されるが、裏面側が暗いときのために透過式のバックライトを設けてもよい。
【００３９】
上記の実施形態では、表示制御部４３が描画するマスクパターンは、表示装置１の裏面側から観察不可とすべき画像の表示に用いられる画素の総面積より広い範囲を覆い隠すこととし、その形状は長方形であるものとした。これは、表示装置１の裏面側から観察不可とすべき画像が含まれる場合は、遮蔽部１ｃ全体にマスクパターンを表示することを含む。また、ユーザが操作部材２を介して所定の操作を行ったときに、遮蔽部１ｃ全体にマスクパターンを表示することにしてもよい。なお、遮蔽部全体にマスクパターンを表示するための専用の操作部材を表示装置１の外縁に設けてもよい。
【００４０】
以上で説明した各実施の形態や各種変形例はあくまで一例であり、発明の特徴が損なわれない限り、本発明はこれらの内容に限定されない。たとえば、発明の特徴が損なわれない範囲で各実施形態や各種変形例を任意に組み合わせて実行してもよい。
【符号の説明】
【００４１】
１  表示装置
１ａ，１ｄ  保護パネル
１ｂ  表示部
１ｃ  遮蔽部
２  操作部材
４  メイン基板
６  記録媒体
４０  ＣＰＵ
４１  ＲＯＭ
４３  表示制御部
４４  ＶＲＡＭ
１２１，１２２  マスクパターン
【図１】
2012194243.tif 000003
【図２】
2012194243.tif 000004
【図３】
2012194243.tif 000005
【図４】
2012194243.tif 000006
【図５】
2012194243.tif 000007
【図６】
2012194243.tif 000008
【図７】
2012194243.tif 000009
【図８】
2012194243.tif 000010